(57)【要約】【課題】  懸賞実施の際、商品の変容にコストをかけず、ネットワークを介した懸賞を実行する業者の負担を低減し、応募者が正規の応募者か否かの正当性を認証する。  【解決手段】  情報発信端末とサイト運営サーバとをネットワークにより接続する。ネットワークと、レシートにユニークコードを出力するＰＯＳ端末とを互いに独立させる。サイト運営サーバが、端末からユニークコードを受信すると、ユニークコードを数値データのコード群に変換する。サイト運営サーバが、所定の条件のもとで、被検索コード群データベースに対して変換したコード群を検索し、該当するコード群が索出された場合に送信されたユニークコードが正規のユニークコードであると判断し、索出されなかった場合に、送信されたユニークコードが正規のユニークコードでないと判断する。【選択図】    図１
2004171559.tif 000002
【特許請求の範囲】
【請求項１】
情報データを発信する端末および上記情報データを受信する運営サーバが接続された通信ネットワークと、商品の購入履歴に関するユニークコードを出力する出力手段に接続されたＰＯＳ端末とが、同期をとることなく互いに独立している正当性認証システム。
【請求項２】
上記ＰＯＳ端末が入力部および情報処理部を有し、
上記情報処理部が、上記入力部から入力された情報に基づいて、数値データからなる上記商品の購入履歴に関するコード群を決定し、上記コード群に対して、
ユニークコード生成演算処理を行うことにより、上記コード群から上記ユニークコードを生成する請求項１記載の正当性認証システム。
【請求項３】
上記ユニークコードが、文字、数字および記号からなる群から選ばれた少なくとも１種類からなる情報データからなり、上記情報処理部が上記出力手段に上記文字情報データを出力する請求項１または２記載の正当性認証システム。
【請求項４】
上記運営サーバが、演算処理を行う情報処理部と、数値データからなる被検索コード群が格納された情報記憶部とを有し、
上記端末から上記運営サーバに上記ユニークコードの情報データが送信されたときに、上記情報処理手段が、上記ユニークコードを数値データからなるコード群に変換する逆ユニークコード生成演算処理を行い、
上記情報記憶部に格納された上記被検索コード群に対して、所定の条件の下で検索を実行し、
上記所定の条件のもとで、上記被検索コード群から上記変換されたコード群に該当するコード群が索出された場合に、上記送信されたユニークコードが正規のユニークコードであると判断し、
上記所定の条件のもとで、上記被検索コード群から上記変換されたコード群に該当するコード群が索出されなかった場合に、上記送信されたユニークコードが正規のユニークコードでないと判断する
請求項１記載の正当性認証システム。
【請求項５】
情報データを発信する端末および上記情報データを受信する運営サーバが接続された通信ネットワークと、商品の購入履歴に関するユニークコードを出力する出力手段を備えたＰＯＳ端末とを、互いに独立させ、
演算処理を行う情報処理部と、数値データからなる被検索コード群が格納された情報記憶部とを有する上記運営サーバが、
上記端末から上記運営サーバに上記ユニークコードの情報データが送信されたときに、上記情報処理手段が、上記ユニークコードを数値データからなるコード群に変換する逆ユニークコード生成演算処理を行い、上記情報記憶部に格納された上記被検索コード群に対して、所定の条件の下で検索を実行し、上記所定の条件のもとで、上記被検索コード群から上記変換されたコード群に該当するコード群が索出された場合に、上記送信されたユニークコードが正規のユニークコードであると判断し、上記所定の条件のもとで、上記被検索コード群から上記変換されたコード群に該当するコード群が索出されなかった場合に、上記送信されたユニークコードが正規のユニークコードでないと判断する正当性認証方法。
【請求項６】
上記ＰＯＳ端末が、上記商品の購入履歴に関する数値データからなる上記コード群から上記ユニークコードに変換するユニークコード生成演算処理を実行した後、上記ユニークコードを印刷出力する請求項５記載の正当性認証方法。
【請求項７】
上記ユニークコードが、文字、数字および記号からなる情報群から選ばれた少なくとも１種類からなる情報データである請求項５記載の正当性認証方法。
【請求項８】
情報データを発信する通信端末および上記情報データを受信する運営サーバが接続された通信ネットワークと、商品またはサービスの提供履歴に関するユニークコードを出力する出力手段に接続された端末装置とが、同期をとることなく互いに独立している正当性認証システム。
【請求項９】
前記端末装置はユニークコードを印刷したレシートを出力するとともに、通信手段を介して前記通信端末に対して前記ユニークコードを引数としたアドレス情報を送信する請求項８記載の正当性認証システム。
【請求項１０】
前記端末装置はＰＯＳ端末であり、前記通信端末は前記アドレス情報に基づいてネットワークへのアクセスが可能な携帯電話である請求項９記載の正当性認証システム。
【発明の詳細な説明】
【技術分野】
【０００１】
この発明は、正当性認証システムおよび正当性認証方法に関し、特に、携帯電話などの通信端末を用いたクローズ懸賞の応募における正当性の認証に適用して好適なものである。
【背景技術】
【０００２】
従来、企業などによる販売促進の方法として、懸賞が行われている。このような懸賞のうち、近年、クローズ懸賞またはクローズド懸賞と称される懸賞方法が採用されている。クローズ懸賞とは、例えば、商品に添付されたシールなどを応募用紙などに貼り、応募する方法である。
【０００３】
このような方法は、種々の広告媒体を用いて、懸賞の告知をし、その商品を購入した人のみが応募をすることができるため、販売促進の方法としては、極めて有効な方法である。
【０００４】
しかしながら、このクローズ懸賞においては、商品にシールを添付したり、応募用紙を作成したり、広告をしたりする必要があるため、景品のためのコストのみならず、シールなどの添付のためのコストや広告のためのコストがかかるという問題があった。
【０００５】
そこで、ＰＤＡ(Personal Digital Assistants)、携帯電話およびパーソナルコンピュ
ータ（ＰＣ）のＷＥＢサービスを利用して、消費者がクローズ懸賞に応募する応募方法が検討されている。
【発明の開示】
【発明が解決しようとする課題】
【０００６】
しかしながら、このようなＰＤＡ、携帯電話、ＰＣなどのＷＥＢサービスを利用した懸賞の応募方法においては、商品に添付された「物」としてのシールなどを懸賞の応募用紙に貼り付けて応募する方法ではないことから、該当する商品を購入したか否か、すなわち、現実に当該商品を購入したか否かを認識することができない。
【０００７】
そのため、ＷＥＢサービスを利用した懸賞の応募は、事実上、不特定の応募者を許してしまうオープン懸賞と変わらなくなり、クローズ懸賞を行う本来の目的である当該商品の販売促進を進めることができないという問題があった。
【０００８】
そこで、本発明者が検討を行ったところ、企業などが商品のクローズ懸賞を行う際に、その応募者の正当性の認証を、ＰＯＳ端末を用いてネットワーク化し、厳密に実行する方法を想起した。
【０００９】
ところが、本発明者がさらに鋭意検討を行ったところ、応募者の正当性の認証を、このように厳密に実行しようとすると、かえって設備コストが増加してしまい、特に、商品が食品の場合など、広域に渡って行うクローズ懸賞にとっては、かえって業者の負担が増加する結果になることを知見するに至った。
【００１０】
したがって、この発明の目的は、懸賞を実施する際に、当該商品にシールを貼ったり、当該商品に特別な包装を施したりするなどの、販売商品を変容させるためのコストを費消することなく、さらに、ネットワークを介して行う懸賞であっても、懸賞を実行する業者に負担がかかることなく、懸賞の応募者が当該商品の正規な応募者であるか否かの正当性
を認証することができる懸賞応募の正当性認証方法およびそのシステムを提供することにある。
【００１１】
また、この発明の他の目的は、ネットワークを介して応募する場合においても、商品に添付された識別シールを応募用紙に貼り付けて応募する場合と同様に、懸賞の応募者が商品を購入した購入者であるか否かの正当性の認証を正確に実行することができ、懸賞を実行する販売業者から売り出される商品の販売促進を促すことができる、懸賞応募の正当性認証方法およびそのシステムを提供することにある。
【課題を解決するための手段】
【００１２】
上記目的を達成するために、この発明の第１の発明は、
情報データを発信する端末および情報データを受信する運営サーバが接続された通信ネットワークと、商品の購入履歴に関するユニークコードを出力する出力手段に接続されたＰＯＳ端末とが、同期をとることなく互いに独立していることを特徴とする正当性認証システムである。
【００１３】
この第１の発明において、さらに、ＰＯＳ端末は、入力部および情報処理部を有し、入力部から入力された情報に基づいて、情報処理部が、数値データからなるコード群を決定し、コード群に対して、ユニークコード生成演算処理を行うことにより、コード群からユニークコードを生成するように構成される。なお、このＰＯＳ端末を、自動販売機などの、商品を自動で販売する装置に採用する場合には、入力部としては、硬貨が投入されることにより、この硬貨投入の信号を情報処理部に送信する手段も含むものである。
【００１４】
また、この第１の発明において、懸賞応募における正当性の認証を、より確実で正確にするとともに、いわゆる懸賞の応募において冒認応募をできる限り低減するために、具体的には、運営サーバが、演算処理を行う情報処理部と、数値データからなる被検索コード群が格納された情報記憶部とを有し、端末から運営サーバにユニークコードの情報データが送信されたときに、情報処理手段が、ユニークコードを数値データからなるコード群に変換する逆ユニークコード生成演算処理を行い、情報記憶部に格納された被検索コード群に対して、所定の条件の下で検索を実行し、所定の条件のもとで、被検索コード群から、変換されたコード群に該当するコード群が索出された場合に、送信されたユニークコードが正規のユニークコードであると判断し、所定の条件のもとで、被検索コード群から、変換されたコード群に該当するコード群が索出されなかった場合に、送信されたユニークコードが正規のユニークコードでないと判断する。
【００１５】
また、この発明の第２の発明は、
情報データを発信する端末および情報データを受信する運営サーバが接続された通信ネットワークと、ユニークコードを出力する出力手段を備えたＰＯＳ端末とを、互いに独立させ、
演算処理を行う情報処理部と、数値データからなる被検索コード群が格納された情報記憶部とを有する運営サーバが、端末から運営サーバにユニークコードの情報データが送信されたときに、情報処理手段が、ユニークコードを数値データからなるコード群に変換する逆ユニークコード生成演算処理を行い、情報記憶部に格納された被検索コード群に対して、所定の条件の下で検索を実行し、この所定の条件のもとで、被検索コード群から、変換されたコード群に該当するコード群が索出された場合に、送信されたユニークコードが正規のユニークコードであると判断し、所定の条件のもとで、被検索コード群から、変換されたコード群に該当するコード群が索出されなかった場合に、送信されたユニークコードが正規のユニークコードでないと判断することを特徴とする正当性認証方法である。
【００１６】
さらに、本発明の第３の発明は、情報データを発信する通信端末および上記情報データを受信する運営サーバが接続された通信ネットワークと、商品またはサービスの提供履歴に関するユニークコードを出力する出力手段に接続された端末装置とが、同期をとることなく互いに独立している正当性認証システムである。
【００１７】
これらの発明において、暗号性を向上させるとともに、懸賞の応募者にとって親しみやすくするために、典型的には、ユニークコードは、文字、数字および記号からなる群から選ばれた少なくとも１種類からなる情報データからなり、情報処理部が出力手段に、いわゆる文字列情報データを出力するように構成される。
【００１８】
上述のように構成されたこの発明による懸賞応募の正当性認証方法およびそのシステムによれば、情報データを発信する端末および情報データを受信する運営サーバが接続された通信ネットワークと、商品の購入履歴に関するユニークコードを出力する出力手段に接続されたＰＯＳ端末とが、同期をとることなく互いに独立していることにより、端末からネットワークを介して、所定の懸賞に応募する際に、端末から発信された情報データを識別することによって、容易に応募の正当性を認証することができる。
【発明の効果】
【００１９】
以上説明したように、この発明によれば、情報データを発信する端末および情報データを受信する運営サーバが接続された通信ネットワークと、商品の購入履歴に関するユニークコードを出力するＰＯＳ端末とが、同期をとることなく互いに独立していることにより、ネットワークに接続することが困難なＰＯＳ端末においても、クローズ懸賞を実行することができ、懸賞を実施する際に、該当商品にシールを貼ったり、当該商品に特別な包装を施したりするなどの、販売商品を変容させるためのコストを消費することなく、さらに、ネットワークを介して行う懸賞であっても、懸賞を実行する業者に負担がかかることなく、懸賞の応募者が当該商品の正規な応募者であるか否かの正当性を認証することができる。
【発明を実施するための最良の形態】
【００２０】
以下、この発明の実施形態について図面を参照しながら説明する。なお、以下の実施形態の全図においては、同一または対応する部分には同一の符号を付す。
【００２１】
まず、この発明の一実施形態による正当性認証システムについて説明する。図１に、この一実施形態による懸賞応募の正当性認証システムの全体構成を示す。
【００２２】
図１に示すように、この一実施形態による懸賞応募の正当性認証システムにおいては、ネットワーク１に、懸賞応募の正当性を認証するサイトを運営するサイト運営サーバ２と、所定の情報データを送信可能な、携帯端末３、ＰＣ端末４およびＰＤＡ端末５などの各種端末３〜５とが、データ通信可能に接続されて構成されている。
【００２３】
また、この発明の一実施形態によるＰＯＳ端末６が、ネットワーク１と互いに独立して同期をとらないように設置されている。このＰＯＳ端末６は、通常、販売店舗や自動販売機などに設置され、レシート７を印刷出力可能に構成されている。そして、このＰＯＳ端末６から出力されたレシート７には、必要な支払情報と併せて、文字、数字および記号からなる群より選ばれた少なくとも１種類の情報データからなるユニークコード８が印刷される。このＰＯＳ端末６には、通信ボックス１０１が接続されており、携帯端末１０２との通信が可能となっている。この携帯端末１０２は、ネットワーク接続可能な携帯電話であり、前記通信ボックス１０１とは、赤外線通信、ブルートゥース通信、無線ＬＡＮ通信方式等によりデータの送受信が可能となっている。そして、通信ボックス１０１から受信したデータは当該携帯端末１０２の液晶表示部１０２ａに表示されるようになっている。
ここで、通信ボックス１０１から受信するデータは、レシート７に印刷されるユニークコード８である。したがって、このユニークコード８は、レシート７上に印刷されるとともに、携帯端末１０２の液晶表示部１０２ａにも表示される。
【００２４】
以上のように構成されたシステムにおいて、ネットワーク１は、サイト運営サーバ２および各種端末３〜５の間で相互通信するためのものである。このネットワーク１としては、懸賞応募の広域性を重視すると、広い範囲のデータ通信に用いられるインターネットなどの広域通信を採用するのが望ましい。なお、必要に応じて、やや広い範囲の通信に用いるイントラネットや、比較的狭い範囲の通信に用いられるローカルエリアネットワーク（ＬＡＮ）などを採用することも可能である。
【００２５】
また、サイト運営サーバ２は、各種端末３〜５から送信されたユニークコードデータに基づいて、実際に、この送信されたユニークコードが懸賞の応募において、正当性があるか否か、すなわち該当する商品を購入したことによって、得られた正規のユニークコードであるか否かを判断するサーバである。なお、このユニークコードの正当性認証方法については、後述する。
【００２６】
さらに、サイト運営サーバ２は、ネットワーク１に接続された各種端末３〜５において送受信される情報データを制御可能に構成されている。なお、他のサーバを用いて、この送受信される情報データの制御を行うことも可能である。すなわち、例えばネットワーク１に接続した各種端末３〜５間で情報データの送受信を行う場合に、例えば携帯端末３から他の携帯端末３に向けて送信された電子メールなどの情報データを、所定の記憶領域（ディレクトリ）に一旦格納し、送信先となる所定の携帯端末３に送信するネットワーク１上の制御を、制御専用のサーバにより実行することも可能である。
【００２７】
ここで、このサイト運営サーバ２の構成について具体的に説明する。図２に、このサイト運営サーバ２の構成を示す。
【００２８】
図２に示すように、この一実施形態による印刷システムにおけるサイト運営サーバ２は、バス１１に、中央処理装置（ＣＰＵ）１２ａとメインメモリ１２ｂとＲＯＭ１２ｃとを有して構成される情報処理部１２、およびハードディスクなどの補助記憶部１３が少なくとも接続されて構成されている。
【００２９】
これらの情報処理部１２および補助記憶部１３における相互のデータ通信は、バス１１を介して行われる。また、このバス１１がインターフェース（Ｉ／Ｆ）１４を介してネットワーク１に接続され、これにより、サイト運営サーバ２が各種端末３〜５と接続可能なネットワーク１に接続されている。
【００３０】
また、補助記憶部１３には、このサイト運営サーバ２にインストールされたアプリケーションを実行するベースとなるオペレーティングシステム（ＯＳ）１３ａがインストールされている。
【００３１】
また、補助記憶部１３には、このＯＳ１３ａをベースとして、この一実施形態によるユニークコードの正当性認証を実行するための、データの受信処理、ユニークコードを数値データからなるコード群に変換するユニークコードのデコード処理、およびデータベースの検索処理などに用いられるアプリケーションがインストールされている。すなわち、補助記憶部１３には、データ送受信アプリケーション１３ｂ、および逆ユニークコード生成演算処理アプリケーション１３ｃがインストールされている。
【００３２】
また、データ送受信アプリケーション１３ｂは、各種端末３〜５から送信されたユニー
クコードを、ネットワーク１を介してサイト運営サーバ２が受信するためのアプリケーションである。
【００３３】
また、逆ユニークコード生成演算処理アプリケーション１３ｃは、各種端末３〜５から送信されるユニークコードを、複数の数値データに変換するデコード処理を行うアプリケーションである。
【００３４】
また、データベース検索処理アプリケーション１３ｄは、補助記憶部１３の所定格納部に格納されたコード群データベース１３ｅから、所望のコード群データの検索を実行するアプリケーションである。
【００３５】
そして、サイト運営サーバ２において、ＯＳ１３ａを起動のベースとして、これらのデータ送受信アプリケーション１３ｂ、逆ユニークコード生成演算処理アプリケーション１３ｃ、データベース検索処理アプリケーション１３ｄを実行する際には、それらのプログラムに従った情報処理部１２による処理が行われる。
また、少なくともデータ送受信アプリケーション１３ｂは、常時起動されており、このアプリケーションにより、各種端末３〜５からこのサイト運営サーバ２のサイトにアクセスすることができるようになっている。
【００３６】
また、補助記憶部１３の所定の格納部分には、懸賞応募の正当性認証の判断に用いられる複数の数値データで構成されるコード群のデータが、種々のデータと関連づけされてコード群データベース１３ｅとして構築されている。この補助記憶部１３に格納されたコード群データベース１３ｅのデータベース構造を図３に示す。
【００３７】
また、コード群データベース１３ｅは、図６に示すような構成としてもよい。図６において、「店舗コード」は、図３の「店舗情報」、「レジ番号」は「ＰＯＳ番号」、「取引日時」は「購入日時刻データ」、「管理番号」は「キャンペーンコード」にそれぞれ対応している。
【００３８】
また、サイト運営サーバ２では、この他に、携帯端末１０２から入力された情報に基づいて、当該ユーザのメールアドレス、サイトアクセス日時、過去の応募回数等を管理しており、これらのユーザ管理データをマーケティング分析に用いてもよい。
【００３９】
図３に示すように、このコード群データベース１３ｅは、あらかじめ設定された、例えば、カタログコードデータベース、店舗コードデータベースおよび商品コードデータベースから、これらのデータベースを構成する各種データが集約されて構成されている。
【００４０】
この一実施形態においては、コード群データベース１３ｅには、カタログコードデータベースから、例えば、キャンペーンコードデータ、店舗情報データおよび製造元データがコード群データベース１３ｅに格納される。また、店舗コードデータベースからは、店番号コード、住所コード、ＰＯＳ番号コード、購入日時刻データがコード群データベース１３ｅに格納される。また、商品コードデータベースからは、販売商品コード、定価コード、販売価格コードがコード群データベース１３ｅに格納される。
【００４１】
そして、後述するユニークコード８の正当性認証の際には、情報処理部１２によって、データベース検索処理アプリケーション１３ｄが実行されることにより、実施中の懸賞に該当するキャンペーン商品およびその購買履歴を確定可能な情報データが集約され、比較対象となるコード群が構築される。なお、このように比較対象となるコード群を抽出する以外にも、コード群データベース１３ｅに、あらかじめ比較対象となるコード群をすべて構築し格納しておくことも可能である。
【００４２】
以上のようにして、この一実施形態によるサイト運営サーバ２が構成されている。なお、この一実施形態によるサイト運営サーバ２に、さらに、キーボードやマウスなどの入力部、ＣＲＴやＬＣＤなどの表示部および、プリンタなどの出力部を備えることも可能である。
【００４３】
次に、このサイト運営サーバ２と独立して同期をとることなく、店舗に設置されるＰＯＳ端末６および、このＰＯＳ端末６から出力されるユニークコード８について説明する。
【００４４】
まず、図１に示すように、この一実施形態による正当性認証システムにおいて用いられる、キャンペーン商品の購入履歴に関するユニークコード８は、ＰＯＳ端末６から印刷出力されるレシート７に印刷されている。
【００４５】
そして、図４に示すように、このユニークコード８を出力するＰＯＳ端末６は、バス２１に、バーコードリーダなどのバーコードを読み取ったり、テンキーなどの数字を入力したりするための入力部２２と、ＣＰＵ２３ａ、ＲＡＭなどのメインメモリ２３ｂおよび、ＰＯＳ端末６の機械的な制御を行うプログラムが格納されたＲＯＭ(Read Only Memory)２３ｃから構成される情報処理部２３と、店舗情報、商品金額、および購入代金の総計額などの種々のデータをレシート７に印刷して出力するレシート出力部２４と、例えば売り上げ情報や商品金額や購入代金などの種々のデータを表示する表示部２５と、記憶格納部２６とを有して構成される。
【００４６】
そして、入力部２２、情報処理部２３、表示部２５、記憶格納部２６およびレシート出力部２４の相互のデータ通信は、バス２１を介して行われる。
【００４７】
また、これらのうちの記憶格納部２６には、インストールされたプログラムを実行したり、オペレータによりＰＯＳ端末６を操作したりするベースとなるオペレーティングシステム（ＯＳ）２６ａがインストールされている。
【００４８】
さらに、記憶格納部２６には、売り上げや購入額総計などの数値を計算する演算処理や、レシートの出力処理や、レシートに印刷されるユニークコード８を生成する演算処理などに用いられるアプリケーションがインストールされている。
【００４９】
すなわち、ＰＯＳ端末６の記憶格納部２６には、演算処理アプリケーション２６ｂ、レシート出力アプリケーション２６ｃおよびユニークコード生成演算アプリケーション２６ｄがインストールされている。
【００５０】
演算処理アプリケーション２６ｂは、購入者の購入品目や、購入代金などの合計や、消費税の計算などを実行するアプリケーションである。レシート出力アプリケーション２６ｃは、ユニークコードおよび、購入代金や釣り銭金額などの情報データを、例えば感熱紙などのシート材に印刷して出力するためのものである。ユニークコード生成演算アプリケーション２６ｄは、所定のコード群からユニークコードを生成するアプリケーションである。
【００５１】
そして、ＰＯＳ端末６において、ＯＳ２６ａがベースとなって、演算処理アプリケーション２６ｂ、レシート出力アプリケーション２６ｃ、ユニークコード生成演算アプリケーション２６ｄが実行される際には、情報処理部２３により、アプリケーションのプログラム命令が順次実行されて、実際の外部に認識される動作が行われる。
【００５２】
以上のようにして、この一実施形態によるＰＯＳ端末６が構成されている。なお、この
ＰＯＳ端末６として例えば自動販売機などを採用する場合には、必ずしも入力部２２や表示部２５などを設ける必要はなく、少なくとも、ユニークコード８を生成した後に、このユニークコード８が印刷されたシート片を出力する機能を有するように構成すればよい。
【００５３】
次に、以上のように構成されたこの一実施形態による懸賞応募の正当性認証システムを利用した正当性認証方法について説明する。なお、この一実施形態においては、ＰＯＳ端末６によるユニークコード８の生成処理および、このユニークコード８が、サイト運営サーバ２において正当性認証が行われるまでの処理について説明する。
【００５４】
まず、商品の購入者（以下、ユーザ）が、この一実施形態によるＰＯＳ端末６が設置された店舗において、懸賞を実施している商品（キャンペーン商品）を購入する。
【００５５】
このとき、入力部２２から、このキャンペーン商品が購入された情報が情報処理部２３に供給される。これに伴って、図３に示すと同様の、カタログコード（キャンペーンコード）、当該店舗の店舗コード（店番号コード、ＰＯＳ番号データ、購入日時刻データ）、商品コード（販売商品コード、定価コード、販売価格コード）などからなるコード群３１が出力され、情報処理部２３に入力される。なお、このコード群３１は、複数のキャンペーン商品を購入するごとに異なる数列となるように設定されている。
【００５６】
また、図５Ａに示すように、このコード群３１は、複数の数値データ（例えば、"001 5678 1024 01 02 1002 4567"）から構成される。そして、このコード群３１が入力された
情報処理部２３において、ユニークコード生成演算アプリケーション２６ｄが実行される。
【００５７】
これにより、数値データからなるコード群３１が、文字、数字および記号などを適切に組み合わせたユニークコード８（例えば「ＡＢ！ＤＥ３−Ｇ」）が生成される。
【００５８】
なお、このユニークコード８としては、文字、数字および記号を適切に組み合わせて構成するのみならず、文字のみ、記号のみ、または数字のみから構成するようにしてもよく、さらには、文字と数字との組み合わせや、記号と数字との組み合わせや、文字と記号との組み合わせなどから構成してもよく、必ずしもこれらの文字、記号および数字のすべてを含む必要はない。また、このユニークコード生成演算処理においては、置換式暗号化プログラム、換字式暗号化プログラム、チェックデジット方式などを採用したアプリケーションとすることが可能である。
【００５９】
その後、このユニークコード８の情報データが、レシート出力部２４に供給され、他の購入金額などの情報とともに、レシート７にこのユニークコード８が印刷されて出力される。
【００６０】
その後、図１に示すように、ユーザが、携帯端末３、ＰＣ端末４またはＰＤＡ５などから、サイト運営サーバ２のサイトにアクセスして、レシート７に印刷されたユニークコード８を入力する。これにより、このユニークコード８がネットワーク１を介して、サイト運営サーバ２に送信される。
【００６１】
このユニークコード８（例えば「ＡＢ！ＤＥ３−Ｇ」）を受信したサイト運営サーバ２においては、情報処理部１２により、逆ユニークコード生成演算処理アプリケーション１３ｃとデータベース検索処理アプリケーション１３ｄとが起動される。なお、これらのアプリケーションは常時起動させておくことも可能である。
【００６２】
その後、図５Ｂに示すように、サイト運営サーバ２は、逆ユニークコード生成演算処理
アプリケーション１３ｃの処理に沿って、受信したユニークコード８をコード群３１にデコードする。これにより、受信したユニークコード８に対応したコード群３１が生成される。
【００６３】
これとともに、情報処理部１２は、データベース検索処理アプリケーション１３ｄのプログラムに従って、所定の条件のもとで、図３に示す比較対象コード群を抽出した後、コード群データベース１３ｅから、受信したユニークコード８がデコードされたコード群を検索する。
【００６４】
この検索の結果、所定条件のもとで該当するコード群が索出された場合、サイト運営サーバ２の情報処理部１２は、このユーザから送信されたユニークコード８が正規に発行されたユニークコード８である、と判断して、懸賞応募の正当性認証が終了する。
【００６５】
他方、例えばユーザが、別のユニークコード８を送信し、サイト運営サーバ２がこのユニークコード８を変換した結果、所定条件のもとで該当するコード群が索出されなかった場合には、このユーザから送信されたユニークコード８が正規に発行されたユニークコード８ではない、と判断し、懸賞応募の正当性認証が終了する。
【００６６】
その後は、サイトの運営者の所望とする処理をサイト運営サーバ２に実行させることにより、キャンペーン商品の懸賞の応募に関する処理を終了する。
【００６７】
以上説明したように、この一実施形態によれば、まず、ユーザがキャンペーン商品を購入した際に、ＰＯＳ端末６において、この商品の購入履歴に関するコード群からユニークコード８にエンコードして、ユニークコード８が印刷されたレシート７を購入者であるユーザに渡し、このユーザが懸賞に応募したときに、このユニークコード８が、各種端末３〜５からネットワーク１を通じて、サイト運営サーバ２に送信され、さらに、このユニークコード８からコード群をデコードして、懸賞応募の正当性の認証を行っていることにより、特にクローズ懸賞を実施する際に、当該商品にシールを貼ったり、当該商品に特別な包装を施したりするなどの、販売商品を変容させるためのコストを消費することなく、応募した応募者が当該商品の購入者であるか否かの正当性を認証することができる。
【００６８】
また、この一実施形態によれば、サイト運営サーバ２に接続するネットワーク網と、ＰＯＳ端末６とを互いに独立させて、同期をとらないように構成していることにより、通常、自動販売機などのように、ネットワークに接続する構成が困難なＰＯＳ端末６においても、ユニークコード８が印刷されたシート片などを出力するだけで、キャンペーン商品のクローズ懸賞を実施することができ、従来の、商品に添付された識別シールを応募用紙に貼り付けて応募する場合と同程度に、懸賞の応募者が商品を購入した購入者であるか否かの正当性認証を実行することができるので、懸賞を実行する業者から販売される商品の販売促進を促すことができる。
【００６９】
以上、この発明の一実施形態について具体的に説明したが、この発明は、上述の一実施形態に限定されるものではなく、この発明の技術的思想に基づく各種の変形が可能である。
【００７０】
例えば、上述の実施形態において挙げた数値、ＰＯＳ端末やサイト運営サーバの構成はあくまでも例に過ぎず、必要に応じてこれと異なる数値や構成を用いてもよい。
【００７１】
また、例えば上述の一実施形態においては、データベース検索処理アプリケーション１３ｄにより検索が行って該当するコード群を索出するだけであったが、この索出されたコード群データベース１３ｅにおけるコード群データにフラグを立て、このフラグが立って
いるコード群が再度検索され索出された場合には、正規のユニークコードではないと判断して、その応募を排除して、二重応募を防止するようにしてもよい。
【００７２】
また、例えば上述の一実施形態においては、レシート出力部２４として、ＰＯＳ端末６に備えられている場合に限らず、ＰＯＳ端末６の外部で、ＰＯＳ端末６に接続可能に構成された出力部を採用することも可能である。
【００７３】
また、この発明の第２の発明によれば、運営サーバが、端末からユニークコードが送信されたときに、ユニークコードを数値データのコード群にデコードする処理を行い、被検索コード群に対して検索を実行し、所定の条件のもとで、被検索コード群から変換されたコード群に該当するコード群が索出された場合に、送信されたユニークコードが正規のユニークコードであると判断し、被検索コード群から該当するコード群が索出されない場合に、正規のユニークコードでないと判断していることにより、通信ネットワークを介して応募する場合においても、商品に添付された識別シールを応募用紙に貼り付けて応募する場合と同程度に、懸賞の応募者が商品の購入者であるか否かの正当性の認証を、正確で確実に実行することができ、懸賞を実行する販売業者から売り出される商品の販売促進を促すことができる。
【図面の簡単な説明】
【００７４】
【図１】この発明の一実施形態による懸賞応募の正当性認証システムの全体構成を示すブロック図である。
【図２】この発明の一実施形態によるサイト運営サーバを示すブロック図である。
【図３】この発明の一実施形態による懸賞応募の正当性認証において、比較・認証の対象となるコード群データベースを示す説明図である。
【図４】この発明の一実施形態によるＰＯＳ端末を示すブロック図である。
【図５】この発明の一実施形態によるユニークコードとコード群との間のエンコードおよびデコードを示す説明図である。
【図６】コード群データベースの変形例を示す説明図である。
【符号の説明】
【００７５】
１  ネットワーク
２  サイト運営サーバ
３  携帯端末
４  ＰＣ端末
５  ＰＤＡ端末
６  ＰＯＳ端末
７  レシート
８  ユニークコード
１２  情報処理部
１３  補助記憶部
１３ａ  オペレーティングシステム
１３ｂ  データ送受信アプリケーション
１３ｃ  逆ユニークコード生成演算処理アプリケーション
１３ｄ  データベース検索処理アプリケーション
１３ｅ  コード群データベース
２６ｄ  ユニークコード生成演算アプリケーション
３１  コード群
１０１  通信ボックス
１０２  携帯端末
１０２ａ  液晶表示部
【図１】
2004171559.tif 000003
【図２】
2004171559.tif 000004
【図３】
2004171559.tif 000005
【図４】
2004171559.tif 000006
【図５】
2004171559.tif 000007
【図６】
2004171559.tif 000008